(57)【要約】【課題】    従来の吊りワイヤーやナイロンスリングの長さが、買ってきたときは２本でセットになっているが、他のものと一緒になれば、二本の吊りワイヤーなどの長さは合わないことが多かった。    そのため、次の吊りワイヤーやナイロンスリングを買って来ると、その２本は合うが他の物とは合わず、結果としては使い物にならない吊りワイヤーやナイロンスリングが増えていた。【解決手段】    吊りワイヤーやナイロンスリングは、他のものと識別するために色で染め、吊環（１）を両端に具備し、全長（２）の長さから吊環（１）の厚みの長さを引いた物が１、２、３、５メートルにする。【選択図】  図１
2010159109.tif 000002
【特許請求の範囲】
【請求項１】
物を吊るワイヤーやナイロンスリングは、他の会社が生産したものとはっきり識別するために色で染めるか塗装して、吊環（１）を両端に具備し、全長（２）の長さから該吊環（１）の厚み２個分の長さを引いた物が、定尺（３）の１メートルにするため、誤差を９５センチメートルから１メートル５センチメートルまでにすることを特徴とする定尺ワイヤー。
【請求項２】
定尺（３）の２メートルにするため、誤差を１メートル９５センチメートルから２メートル５センチメートルまでにすることを特徴とする請求項１の定尺ワイヤー。
【請求項３】
定尺（３）の３メートルにするため、誤差を２メートル９０センチメートルから３メートル１０センチメートルまでにすることを特徴とする請求項１の定尺ワイヤー。
【請求項４】
定尺（３）の５メートルにするため、誤差を４メートル９０センチメートルから５メートル１０センチメートルまでにすることを特徴とする請求項１の定尺ワイヤー。
【発明の詳細な説明】
【技術分野】
【０００１】
本発明は、吊りワイヤーやナイロンスリングの長さを一定にすることで、２本吊りしても跛にならない定尺ワイヤーに関するものである。
【背景技術】
【０００２】
従来の吊りワイヤーで物を吊るときは、一本の吊りワイヤーで吊るときは、その重量物の重さに耐える物であったらよく、ナイロンスリングの場合は、その重量物に傷を付けたくないときに使用する。
長物の場合の、パイプなどを吊るときは、二本の吊りワイヤーやナイロンスリングがセットになっており、傾かないように吊っていた。
【発明の概要】
【発明が解決しようとする課題】
【０００３】
従来の吊りワイヤーやナイロンスリングは、２本セットで売っており、長さが買ってきたときは２本でセットになっているが、例えば、その長さが１メートル６０センチメートルであった場合、他の物とは合わず、他のものと組み合わせれば二本の吊りワイヤーなどの長さは合わなかった。そのため、長さが長い方の吊りワイヤーを、あまり返しという方法で長さを揃えていたが、その品物を損ない傷つける恐れがあった。
【０００４】
そのため、次の吊りワイヤーやナイロンスリングの１メートル８０センチメートルの物を買って来ると、その２本は合うが先に買った１メートル６０センチメートルの物とでは２０センチメートルの違いがあり、２０センチメートルの違いは吊ったパイプなどが斜めに傾くので他の物とは合わず、結果としては使い物にならない吊りワイヤーやナイロンスリングが増えていた。その中には、１メートル、２メートル、３メートル、５メートルと偶然定尺になっているものがあったが、乱尺の中にあっては定尺の意味がない。
【０００５】
そこで、乱尺であった吊りワイヤーやナイロンスリングは、偶然１メートル、２メートル、３メートル、５メートルの物は以前からあったが、本発明の定尺ワイヤーでは、他のものと間違わないように色分けして、長さを１メートル、２メートル、３メートル、５メートルの物しか作らないことで、２本で吊るときの跛を無くする定尺ワイヤーを提供するものである。
【課題を解決するための手段】
【０００６】
上記目的を達成するために、本発明の定尺ワイヤーは、物を吊るときのワイヤーやナイロンスリングは、他のものと識別するために色で染めるか塗装して、吊環（１）を両端に具備し、全長（２）の長さから吊環（１）の厚みの長さ２個分を引いた、実際の物を吊るときの長さの物が、１メートル、２メートル、３メートル、５メートルの物しか作らない。このことで、２本吊りの場合、少しの誤差５センチメートル以下は無視できるが、１０センチメートル以上の誤差は傾いて無視できない状態になるので、定尺にして跛を無くすることで目的を達成した。
【発明の効果】
【０００７】
本発明の定尺ワイヤーを使用することで、次のような効果がある。
（イ）本発明の定尺ワイヤーを使用することで、２本吊りのとき相手を間違うことがない。
（ロ）本発明の定尺は１メートル、２メートル、３メートル、５メートルの４種類しか無いため、長さの違いは見ただけで分かる。
（ハ）従来は、セットの物が片方だけ行方不明になると、またセットの物を買い、片方だけ行方不明になることを繰り返し、結局最後には乱尺の吊りワイヤーやナイロンスリングが一杯になって、その吊りワイヤーやナイロンスリングも１本吊りなら使用できるので処分できなかったが、その様なことがなくなる。
（ニ）したがって、倉庫が片付く。
（ホ）したがって、管理が簡便になる。
【図面の簡単な説明】
【０００８】
【図１】図は、ワイヤーの平面図である。
【図２】図は、ナイロンスリングの平面図である。
【発明を実施するための形態】
【０００９】
本発明の定尺吊りワイヤーは、吊りワイヤーやナイロンスリングの長さを１メートル、２メートル、３メートル、５メートルの４種類しか無いため、長さの違いは見ただけで分かる。そのとき４メートルの物を省いた理由は３メートルと４メートルでは間違う可能性があり、４メートルと５メートルでも間違うため４メートルを省くことで、それぞれの定尺をはっきりさせる。
また、他の物と区別するため他社の製品が塗ってない色や、染めてない色にする。さらに、定尺（３）の長さは実際の使用する長さであるから、吊りワイヤーやナイロンスリングなどの太さに左右されるものではないため、太いワイヤーと細いワイヤーを使用しても跛にならない。
【実施例１】
【００１０】
他社の吊りワイヤーなどが無いのならば、色分けする必要は無いのだが、現実としてあるのだから、例えば黄色で色分けをする。すると、黄色の吊りワイヤーやナイロンスリングは長さが１メートル単位であるため、１メートルの違いは見ただけで分かり間違うはずがない。しかし、それでも間違うと思うときは、１メートルが青色で、２メートルが黄色で、３メートルが赤色で、５メートルが緑色で別けて色付けすると良い。
【実施例２】
【００１１】
以下、本発明の実施例について図面を参照して説明する。
図１は、吊りワイヤーの平面図で、全長（２）の長さから吊環（１）の厚みの２個分を差し引いた物が定尺（３）となり、木材の定尺は２メートル、４メートル、６メートルであるが、吊りワイヤーやナイロンスリングでは、１メートル、２メートル、３メートル、５メートルとして、その他の物を乱尺としたい。
【実施例３】
【００１２】
図２は、ナイロンスリングの平面図で、全長（２）の長さから吊環（１）の厚みの２個分を差し引いた物が定尺（３）となり、定尺どうしならナイロンスリングの合方に吊りワイヤーを変わりに代用しても差支えない。
【実施例４】
【００１３】
また、吊りワイヤーやナイロンスリングの色を、模様にするなどして各社の吊りワイヤーやナイロンスリングと一目で分かるようにすることで、今の吊りワイヤーやナイロンスリングの数を少なくすることができる。
また、エンドレスワイヤロープやエンドレスナイロンスリングなども、内周の半分の長さが定尺にすることで、定尺ワイヤーと同様の効果をあげる。
【符号の説明】
【００１４】
１  吊環                  ２  全長            ３  定尺
【図１】
2010159109.tif 000003
【図２】
2010159109.tif 000004
【手続補正書】
【提出日】平成21年1月27日(2009.1.27)
【手続補正１】
【補正対象書類名】明細書
【補正対象項目名】０００４
【補正方法】変更
【補正の内容】
【０００４】
そのため、次の吊りワイヤーやナイロンスリングの１メートル８０センチメートルの物を買って来ると、その２本は合うが先に買った１メートル６０センチメートルの物とでは２０センチメートルの違いがあり、２０センチメートルの違いは吊ったパイプなどが斜めに傾くので他の物とは合わず、結果としては使い物にならない吊りワイヤーやナイロンスリングが増えていた。その中には、１メートル、２メートル、３メートル、５メートルと偶然定尺になっているものがあったが、乱尺の中にあっては定尺の意味がない。
そこで、特開昭８６３７４の名称、玉掛けワイヤーロープの場合は、１メートル、２メートル、３メートルのものに色を取り付けた着色線を取り付けるところは類似しているが、本発明では定尺にすることが目的で、他社の吊りワイヤーがなかったら色分けする必要がない。また、着色線を取り付けるような面倒なことはしなくても、スプレー缶で色を付けるだけでよい。